【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
アプリケーションのファイルの印刷指示の入力を受け付ける印刷指示受付手段と、
前記ファイルの印刷対象部分に割当てる電子ペンに認識可能なドットパターンを取得するドットパターン取得手段と、
前記ドットパターン取得手段に基づき割当てられたドットパターンを前記印刷対象部分に重ねて印刷させ、かつ、当該ドットパターンを前記電子ペンで読み取り可能なインクで印刷させると共に前記印刷対象部分を前記電子ペンにより読み取れないインクで印刷させる旨の印刷指示を、接続したプリンターに送信する印刷指示手段と、
少なくとも、前記ファイルと、前記割当てられたドットパターンと、を関連付けて記憶する記憶手段と、
を備えることを特徴とするコンピュータ装置。
【請求項２】
印刷指示手段の実行後、表示用アプリケーションであるビューアに読み込まれ表示されるファイルであって、前記印刷対象部分のイメージ画像ファイルを作成するイメージ画像ファイル作成手段をさらに備え、
前記記憶手段は、前記ファイルと、前記割当てられたドットパターンと、前記イメージ画像ファイルと、を関連付けて記憶することを特徴とする請求項１に記載のコンピュータ装置。
【請求項３】
前記印刷指示手段に基づき印刷された用紙への電子ペンによる手書きストロークに関する記入情報を受信する受信手段と、
前記記入情報に基づき、前記用紙上に印刷されたドットパターンに関連付けて記憶された前記ファイルを表示すると共に、前記手書きストロークを重ねて描画する表示手段と、
をさらに備え、
前記記憶手段は、前記ファイルに前記手書きストロークの情報を加えて記憶することを特徴とする請求項１に記載のコンピュータ装置。
【請求項４】
前記印刷指示手段に基づき印刷された用紙への電子ペンによる手書きストロークに関する記入情報を受信する受信手段と、
前記記入情報に基づき、前記用紙上に印刷されたドットパターンに関連付けて記憶された前記画像イメージファイルを表示すると共に、前記手書きストロークを重ねて描画する表示手段と、をさらに備え、
前記記憶手段は、前記ファイルに前記手書きストロークの情報を加えて記憶することを特徴とする請求項２に記載のコンピュータ装置。
【請求項５】
前記ドットパターンの割当管理を行うサーバとネットワークを介して接続し、
前記ドットパターン取得手段は、前記サーバに対し、ドットパターンの割当要求を行うことで前記印刷対象部分に割当てるドットパターンを取得することを特徴とする請求項１乃至４のいずれか一項に記載のコンピュータ装置。
【請求項６】
前記記憶手段は、前記ドットパターンのデータベースを記憶し、
前記ドットパターン取得手段は、前記記憶手段から前記印刷対象部分に割当てるドットパターンを取得することを特徴とする請求項１乃至４のいずれか一項に記載のコンピュータ装置。
【請求項７】
コンピュータ装置により実行されるプログラムであって、
アプリケーションのファイルの印刷指示の入力を受け付ける印刷指示受付手段と、
前記ファイルの印刷対象部分に割当てる電子ペンに認識可能なドットパターンを取得するドットパターン取得手段と、
前記ドットパターン取得手段に基づき割当てられたドットパターンを前記印刷対象部分に重ねて印刷させ、かつ、当該ドットパターンを前記電子ペンで読み取り可能なインクで印刷させると共に前記印刷対象部分を前記電子ペンにより読み取れないインクで印刷させる旨の印刷指示を、接続したプリンターに送信する印刷指示手段と、
少なくとも、前記ファイルと、前記割当てられたドットパターンと、を関連付けて記憶する記憶手段、
として前記コンピュータ装置を機能させることを特徴とするプログラム。
【請求項８】
印刷指示手段の実行後、表示用アプリケーションであるビューアに読み込まれ表示されるファイルであって、前記印刷対象部分のイメージ画像ファイルを作成するイメージ画像ファイル作成手段をさらに備え、
前記記憶手段は、前記ファイルと、前記割当てられたドットパターンと、前記イメージ画像ファイルと、を関連付けて記憶することを特徴とする請求項７に記載のプログラム。
【請求項９】
前記印刷指示手段に基づき印刷された用紙への電子ペンによる手書きストロークに関する記入情報を受信する受信手段と、
前記記入情報に基づき、前記用紙上に印刷されたドットパターンに関連付けて記憶された前記ファイルを表示すると共に、前記手書きストロークを重ねて描画する表示手段と、
をさらに備え、
前記記憶手段は、前記ファイルに前記手書きストロークの情報を加えて記憶することを特徴とする請求項７に記載のプログラム。
【請求項１０】
前記印刷指示手段に基づき印刷された用紙への電子ペンによる手書きストロークに関する記入情報を受信する受信手段と、
前記記入情報に基づき、前記用紙上に印刷されたドットパターンに関連付けて記憶された前記画像イメージファイルを表示すると共に、前記手書きストロークを重ねて描画する表示手段と、をさらに備え、
前記記憶手段は、前記ファイルに前記手書きストロークの情報を加えて記憶することを特徴とする請求項８に記載のプログラム。
【請求項１１】
前記コンピュータ装置は前記ドットパターンの割当管理を行うサーバとネットワークを介して接続し、
前記ドットパターン取得手段は、前記サーバに対し、ドットパターンの割当要求を行うことで前記印刷対象部分に割当てるドットパターンを取得することを特徴とする請求項７乃至１０のいずれか一項に記載のプログラム。
【請求項１２】
前記コンピュータ装置は、前記ドットパターンのデータベースを記憶手段に記憶し、
前記ドットパターン取得手段は、前記記憶手段から前記印刷対象部分に割当てるドットパターンを取得することを特徴とする請求項７乃至１０のいずれか一項に記載のプログラム。
【手続補正２】
【補正対象書類名】明細書
【補正対象項目名】０００６
【補正方法】変更
【補正の内容】
【０００６】
本発明の１つの観点では、コンピュータ装置は、アプリケーションのファイルの印刷指示の入力を受け付ける印刷指示受付手段と、前記ファイルの印刷対象部分に割当てる電子ペンに認識可能なドットパターンを取得するドットパターン取得手段と、前記ドットパターン取得手段に基づき割当てられたドットパターンを前記印刷対象部分に重ねて印刷させ、かつ、当該ドットパターンを前記電子ペンで読み取り可能なインクで印刷させると共に前記印刷対象部分を前記電子ペンにより読み取れないインクで印刷させる旨の印刷指示を、接続したプリンターに送信する印刷指示手段と、少なくとも、前記ファイルと、前記割当てられたドットパターンと、を関連付けて記憶する記憶手段と、を備える。
【手続補正３】
【補正対象書類名】明細書
【補正対象項目名】０００７
【補正方法】変更
【補正の内容】
【０００７】
上記のように構成されたコンピュータ装置は、印刷指示受付手段と、ドットパターン取得手段と、印刷指示手段と、記憶手段と、を備える。印刷指示受付手段は、アプリケーションのファイルの印刷指示の入力を受け付ける。ここで、「アプリケーション」は、文書作成用のソフトウェア、表作成用のソフトウェアなどの一般に市場で流通しているアプリケーションソフトウェアを指す。また、「ファイル」とは、上記のアプリケーションにより作成や編集が可能であって、ユーザが作成した文書等の文字データや各種設定データ等を所定の形式で記憶したデータを指す。また、「印刷指示の入力」とは、ユーザからの外部入力による印刷する旨及び印刷範囲、印刷方法等を指示する入力を指す。ドットパターン取得手段は、ファイルの印刷対象部分に割当てるドットパターンを取得する。ここで、ドットパターン取得手段は、例えば、ドットパターンの割当てを行うサーバからドットパターンを取得してもよく、コンピュータ装置の記憶手段等に格納されたドットパターンのデータベースから割当てるドットパターンを取得してもよい。印刷指示手段は、割当てられたドットパターンを、前記印刷対象部分に重ねて印刷させ、かつ、当該ドットパターンを前記電子ペンで読み取り可能なインクで印刷させると共に前記印刷対象部分を前記電子ペンにより読み取れないインクで印刷させる旨の印刷指示を、接続したプリンターに送信する。これにより、プリンターは、ファイルの印刷対象部分にドットパターンを重ねて印刷する。また、プリンターは、ファイルの印刷対象部分を電子ペンで読み取れないインクで印刷し、ドットパターンを電子ペンで読み取れるインクで所定の用紙に印刷する。記憶手段は、ファイルと、前記割当てられたドットパターンと、を少なくとも関連付けて記憶する。このようにすることで、コンピュータ装置は、印刷された用紙に電子ペンでストロークが記入されることで電子ペンが生成する記入情報を取得した場合に、ドットパターンに基づいて、関連付けられたファイルの印刷範囲を認識することができるため、そのファイルに電子ペンで記入されたストロークを追加して、ディスプレイ上に描画したりメモリに記憶したりすることが可能となり、ユーザの利便性及び効率性を向上させることができる。即ち、ユーザは、任意のタイミングでファイルの印刷操作を行い、その印刷された用紙に電子ペンで追記することで、追記された新しいストロークを含むファイルを作成することができる。
【手続補正４】
【補正対象書類名】明細書
【補正対象項目名】００１３
【補正方法】変更
【補正の内容】
【００１３】
本発明の他の観点では、コンピュータ装置により実行されるプログラムであって、アプリケーションのファイルの印刷指示の入力を受け付ける印刷指示受付手段と、前記ファイルの印刷対象部分に割当てる電子ペンに認識可能なドットパターンを取得するドットパターン取得手段と、前記ドットパターン取得手段に基づき割当てられたドットパターンを前記印刷対象部分に重ねて印刷させ、かつ、当該ドットパターンを前記電子ペンで読み取り可能なインクで印刷させると共に前記印刷対象部分を前記電子ペンにより読み取れないインクで印刷させる旨の印刷指示を、接続したプリンターに送信する印刷指示手段と、少なくとも、前記ファイルと、前記割当てられたドットパターンと、を関連付けて記憶する記憶手段、として前記コンピュータ装置を機能させる。コンピュータ装置は、このプログラムを搭載して実行することにより、ファイルの印刷対象部分にドットパターンを重ねて印刷する指示をプリンターに送信したり、ファイルと、そのファイルに割当てられたドットパターンとを関連付けて記憶する。